(57)【要約】【課題】  確実な殺菌効果を確保した上で、製造コストの低減化を達成することができ、しかも環境保全を配慮した環境に優しい操作パネル装置を提供する。【解決手段】  所定の機器、例えば、複写機で代表される画像形成装置や、駅、劇場、映画館等の券売機、あるいはカード入力で現金を出納する現金出納機等の機器に対して入力操作を行うために使用される操作面（絶縁シート９０の表面）を備えた操作パネル装置４０において、操作面に対して直接的に殺菌処理を施す殺菌手段（第１および第２実施形態では紫外線ランプ２１，２２、第３実施形態では殺菌液噴霧手段２３）が設けられている。【選択図】      図３
2006204824.tif 000002
【特許請求の範囲】
【請求項１】
所定の機器に対して所定の動作を行わせるべく入力操作を行うための操作面を備えた操作パネル装置であって、
前記操作面に対して直接的に殺菌処理を施す殺菌手段が設けられていることを特徴とする操作パネル装置。
【請求項２】
前記殺菌手段は、殺菌性能を有する光を前記操作面に照射する殺菌ランプ手段であることを特徴とする請求項１記載の操作パネル装置。
【請求項３】
前記殺菌ランプ手段は、前記操作面の表面側から当該操作面に光を照射するものであることを特徴とする請求項２記載の操作パネル装置。
【請求項４】
前記殺菌ランプ手段は、前記操作面の裏面側から当該操作面に光を照射するものであることを特徴とする請求項２記載の操作パネル装置。
【請求項５】
前記殺菌手段は、殺菌性能を有する殺菌液を前記操作面に噴霧する殺菌液噴霧手段であることを特徴とする請求項１記載の操作パネル装置。
【請求項６】
前記操作面の近傍に指先を拭う払拭パットが設けられていることを特徴とする請求項１乃至５のいずれかに記載の操作パネル装置。
【請求項７】
少なくとも液晶ディスプレイとタッチパネルとを備えて構成されていることを特徴とする請求項１乃至６のいずれかに記載の操作パネル装置。
【発明の詳細な説明】
【技術分野】
【０００１】
本発明は、画像形成装置や券売機等の各種の機器に設けられ、当該機器に対して所定の入力操作を行うために使用される操作パネル装置に関するものであり、特に衛生上優れた効果を発揮する操作パネル装置に関するものである。
【背景技術】
【０００２】
従来、不特定多数の者（以下公衆という）が手を触れる機器（以下公衆機器という）として、例えば、複写機で代表される画像形成装置や、駅、劇場、映画館等の券売機、あるいはカード入力で現金を出納する現金出納機等の機器が知られている。これらの公衆機器は、例えば液晶ディスプレイ（ＬＣＤ）とタッチパネルとからなる、所定の入力操作が可能な操作パネル装置を有しており、公衆がこの操作パネル装置の操作面に形成された各種のタッチキーをタッチすることにより、所望の入力処理を行い得るようになっている。
【０００３】
このような操作パネル装置は、多数の公衆が入れ替わり立ち替わり指で触れることから、不潔感を払拭することができず、極端な場合は雑菌が繁殖することすらあり得る。かかるタッチ面の不衛生な状態を解消するべく各種の方策が提案されているが、注目すべきものとして、例えば特許文献１〜４によって開示されたものを挙げることができる。
【０００４】
まず、特許文献１のものは、操作パネル装置を対象としたものではないが、街頭や待合室等に設置されたテレビジョン装置のような公衆が手で触れることが多い公衆機器の筐体や画面を構成している合成樹脂製の部品に、光の照射で殺菌性能を発揮する素材（光触媒）を分散混入し、この光触媒によって付着した細菌に対し殺菌処理を施すようになっている。
【０００５】
また、特許文献２のものも操作パネル装置を対象としたものではないが、粘着テープ用のハンドカッターの手で触れる部分を構成している合成樹脂に抗菌剤を分散混入し、これによって殺菌処理を施すようになっている。
【０００６】
また、特許文献３のものは、紙幣処理装置で処理中の紙幣を対象として加熱処理および紫外線照射処理のいずれか一方または双方を行うことによって当該紙幣を殺菌処理するようになっている。
【０００７】
これらは、いずれも公衆が直接手を触れるものを対象としているが、、画像形成装置や券売機等の各種の公衆機器に対して所定の入力操作を行うために使用される操作パネル装置に関するものではない。因みに、操作パネル装置は、入力キーが所定の目的の基に指先によりある程度の押圧力で押圧されるものであるため、操作面に対する細菌汚染の度合いおよび操作面からの細菌の伝染の度合いが無意識的に偶然触れる機器の筐体などに比べて極めて大きい。
【０００８】
これに対し、特許文献４に記載のものは、画像形成装置や映像表紙機器等の操作パネル装置であるタッチパネル用の前面板を殺菌処理の対象の一つとして挙げている（段落〔０００４〕）。具体的には、前面板を、銀含のリン酸複塩からなる抗菌剤を含む耐擦過性皮膜と、この皮膜が積層される基材とから構成している（段落〔０００６〕）。かかる構成によれば、タッチパネルは、抗菌性、遮光性および外観性が良好になると記載されている（段落〔００６４〕）。
【特許文献１】特開平９−２５２１８５公報
【特許文献２】特開平９−２０４４６号公報
【特許文献３】特開２００２−３２８１９号公報
【特許文献４】特開２００２−３３７２７７号公報
【発明の開示】
【発明が解決しようとする課題】
【０００９】
しかしながら、特許文献４のものは、殺菌性能を備えた皮膜を製造するに際し、リン酸アルミニウム、リン酸ジルコニウムあるいはリン酸チタン等のリン酸複塩で高価な銀を固定化したものの微粉体を、ジエチレングリコールメタアクリレートやトリエチレングリコールメタアクリレート等の多官能単量体からなる樹脂に均一に練り込むという面倒な操作を行わなければならず、製造コストが嵩むという問題点を有している。
【００１０】
また、特許文献４のものは、タッチパネルにおける微粉体の存在する部分のみに殺菌性が付与されているだけであるため、微粉体と微粉体との間の部分は、殺菌性能を有しておらず、結局タッチパネルの操作面を全体的に殺菌処理することが困難であるという問題点を有している。
【００１１】
さらに、特許文献４のものは、タッチパネルを廃棄処分に付すとき皮膜に含まれた銀が環境に溶出する虞があり、必ずしも環境に優しいものであるとは言い難い。
【００１２】
本発明は、かかる状況に鑑みなされたものであって、確実な殺菌効果を確保した上で、製造コストの低減化を達成することができ、しかも環境保全を配慮した環境に優しい操作パネル装置を提供することを目的としている。
【課題を解決するための手段】
【００１３】
請求項１記載の発明は、所定の機器に対して所定の動作を行わせるべく入力操作を行うための操作面を備えた操作パネル装置であって、前記操作面に対して直接的に殺菌処理を施す殺菌手段が設けられていることを特徴とするものである。
【００１４】
かかる構成によれば、操作パネル装置の操作面は、殺菌手段によって直接的に殺菌処理が施されるため、部分的な殺菌処理ではなく、操作面の全体について均一な殺菌処理を行うことが可能になる。
【００１５】
また、抗菌剤を樹脂に練り込むような面倒な操作を行う必要がないため、その分製造コストの低減化に貢献する。
【００１６】
さらに、操作パネル装置を廃棄処分したときに、当該操作パネル装置から銀が環境に溶出してしまうような不都合が生じない。
【００１７】
請求項２記載の発明は、請求項１記載の発明において、前記殺菌手段は、殺菌性能を有する光を前記操作面に照射する殺菌ランプ手段であることを特徴とするものである。
【００１８】
かかる構成によれば、殺菌ランプ手段からの光を操作パネル装置の操作面に照射することにより操作面に殺菌処理が施されるため、不特定多数の公衆が操作面にタッチして入力操作が行われ、操作面に雑菌が繁殖するようなことがあっても確実に殺菌され、これによって操作面は、常に衛生的な状態が維持される。そして、殺菌手段として例えば紫外線を照射する殺菌ランプ手段を採用するだけで済ませることができ、装置コストの低減化に貢献する。
【００１９】
請求項３記載の発明は、請求項２記載の発明において、前記殺菌ランプ手段は、前記操作面の表面側から当該操作面に光を照射するものであることを特徴とするものである。
【００２０】
かかる構成によれば、操作パネル装置の操作面は、外部から照射される光によって満遍なく殺菌処理が施されるため、指先が直接タッチする操作面の表側が全体的に確実に殺菌された状態になる。
【００２１】
請求項４記載の発明は、請求項２記載の発明において、前記殺菌ランプ手段は、前記操作面の裏面側から当該操作面に光を照射するものであることを特徴とするものである。
【００２２】
かかる構成によれば、殺菌ランプ手段が操作面の裏面側に設けられるため、殺菌ランプ手段が入力操作の邪魔になるようなことはなく、入力操作の容易性を確保した上で設置位置の自由度が向上する。
【００２３】
請求項５記載の発明は、請求項１記載の発明において、前記殺菌手段は、殺菌性能を有する殺菌液を前記操作面に噴霧する殺菌液噴霧手段であることを特徴とするものである。
【００２４】
かかる構成によれば、殺菌液噴霧手段によって殺菌液を操作パネル装置の操作面に噴霧することにより操作面に殺菌処理が施されるため、不特定多数の公衆が操作面にタッチして入力操作が行われ、操作面に雑菌が繁殖するようなことがあっても確実に殺菌され、これによって操作面は、常に衛生的な状態が維持される。そして、殺菌手段として殺菌液噴霧手段を採用するだけで済ませることができ、装置コストの低減化に貢献する。
【００２５】
請求項６記載の発明は、請求項１乃至５のいずれかに記載の発明において、前記操作面の近傍に指先を拭う払拭パットが設けられていることを特徴とするものである。
【００２６】
かかる構成によれば、操作面をタッチすることによる入力操作が完了したとき、指先を払拭パットで拭うことにより、指先の汚れが取り除かれる。そして、払拭パットに殺菌液を含浸させておけば、指先に付着した細菌に対する殺菌処理が施される。
【００２７】
請求項７記載の発明は、請求項１乃至６のいずれかに記載の発明において、少なくとも液晶ディスプレイとタッチパネルとを備えて構成されていることを特徴とするものである。
【００２８】
かかる構成によれば、一枚物のタッチパネルを介して入力操作を行うことができると共に、液晶ディスプレイの表示がタッチパネルを介して視認される。
【発明の効果】
【００２９】
請求項１記載の発明によれば、操作パネル装置の操作面は、殺菌手段によって直接的に殺菌処理が施されるため、従来のように操作パネル装置を構成する部材に抗菌剤を練り込んだ間接的なものに比較し、抗菌剤の存在する近辺だけが殺菌性能を備えているが、抗菌剤の存在しない部分で殺菌性能が発揮されず、これによって均一な殺菌処理が実現し難いというような不都合の生じることがなく、優れた殺菌効果を得ることができる。
【００３０】
また、抗菌剤を樹脂に練り込むような面倒な操作を行う必要がないため、その分製造コストの低減化に貢献することができる。
【００３１】
また、高価な銀の化合物からなる抗菌剤を樹脂に練り込むような面倒な操作を行う必要がないため、その分製造コストの低減化に貢献するができる。
【００３２】
さらに、操作パネル装置を廃棄処分したときに、当該操作パネル装置から銀が環境に溶出してしまうような不都合が生じず、操作パネル装置を環境保全に役立つものにすることができる。
【００３３】
請求項２記載の発明によれば、殺菌ランプ手段からの光を操作パネル装置の操作面に照射することにより操作面に殺菌処理が施されるため、不特定多数の公衆が操作面にタッチして入力操作を行っても、指先から操作面に移った細菌は光線に当たって確実に殺菌され、これによって操作面を常に衛生的な状態にすることができる。そして、殺菌手段として例えば紫外線を照射する殺菌ランプ手段を採用するだけで済ませることができ、装置コストの低減化に貢献することができる。
【００３４】
請求項３記載の発明によれば、操作パネル装置の操作面は、外部から照射される光によって満遍なく殺菌処理が施されるため、指先が直接タッチする操作面の表側を全体的に確実に殺菌された状態にすることができる。
【００３５】
請求項４記載の発明によれば、殺菌ランプ手段が操作面の裏面側に設けられるため、殺菌ランプ手段が入力操作の邪魔になるようなことはなく、入力操作の容易性を確保した上で殺菌ランプ手段の設置位置の自由度を向上させることができる。
【００３６】
請求項５記載の発明によれば、殺菌液噴霧手段によって殺菌液を操作パネル装置の操作面に噴霧することにより操作面に殺菌処理が施されるため、不特定多数の公衆が操作面にタッチして入力操作を行っても、指先から操作面に移った細菌は殺菌液により確実に殺菌され、これによって操作面を常に衛生的な状態にすることができる。そして、殺菌手段として殺菌液噴霧手段を採用するだけで済ませることができ、装置コストの低減化に貢献することができる。
【００３７】
請求項６記載の発明によれば、操作面をタッチすることによる入力操作が完了したときに指先を払拭パットで拭うことにより、指先の汚れを取り除くことができる。
【００３８】
請求項７記載の発明によれば、入力操作の容易性を確保した上で操作パネル装置の簡素化および低コスト化を達成することができる。
【発明を実施するための最良の形態】
【００３９】
図１は、本発明に係る操作パネル装置が適用された画像形成装置の一実施形態を示す斜視図であり、図２は、その内部構造の概略を示す正面断面視の説明図である。なお、図１および図２において、Ｘ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００４０】
図１に示すように、画像形成装置１０は、箱形を呈する装置本体１１に各種の機器が装着されることによって構成されている。すなわち、装置本体１１の上部には、原稿からその画像を読み取る原稿読取部１２と、画像形成処理に対して各種の条件を入力する入力部２０とが設けられているとともに、装置本体１１内における原稿読取部１２より下方位置には、図２に示すように、原稿読取部１２によって読み取られた原稿の画像情報に基づき画像を形成する画像形成部１３と、この画像形成部１３で用紙に転写された画像に定着処理を施す定着部１４と、転写用の用紙を貯留する用紙貯留部１５とが内装されている。
【００４１】
前記原稿読取部１２は、開閉可能な原稿供給部１２１と、装置本体１１内でコンタクトガラス１２６（図２）を介して原稿供給部１２１と対向配置された光学系ユニット１２５とを備えている。なお、本実施形態においては、コンタクトガラス１２６は、載置された原稿の原稿面を読み取るための、原稿供給部１２１より若干小さい平面形状を有する載置原稿用コンタクトガラス１２６ａと、自動給紙された原稿の原稿面を読み取る前後方向に長尺の細長い自動給紙用コンタクトガラス１２６ｂとが採用されている。
【００４２】
前記原稿供給部１２１は、二段構造で構成され、上段に設けられた原稿を載置するための原稿トレイ１２２と、下段に設けられた画像読み取り済の原稿が排紙される原稿排紙トレイ１２３とを有している。原稿供給部１２１の左側部には、原稿トレイ１２２と原稿排紙トレイ１２３との間に介設された原稿送り部１２４が形成され、この原稿送り部１２４に設けられた図略の原稿送り機構によって原稿トレイ１２２上に載置された用紙束から１枚ずつがピックアップされて自動給紙用コンタクトガラス１２６ｂへ供給され、移動しながらこの自動給紙用コンタクトガラス１２６ｂを介して光学系ユニット１２５によリ原稿面が読み取られるようになっている。
【００４３】
光学系ユニット１２５は、図略の光源や複数のミラー、レンズユニット、さらにはＣＣＤ（ｃｈａｒｇｅ  ｃｏｕｐｌｅｄ  ｄｅｖｉｃｅ）等を有している。そして、光源からの光が原稿面で反射され、この反射光がこれらミラーおよびレンズユニットを介して原稿情報としてＣＣＤに入力されるようになっている。ＣＣＤに入力されたアナログ量としての原稿情報は、デジタル信号に変換され、デジタルの原稿情報として所定の記憶装置に記憶されるようになっている。
【００４４】
前記画像形成部１３は、用紙貯留部１５から給紙された用紙にトナー画像を形成させるものであり、本実施形態では上流側（図２の紙面の右側）から下流側へ向けて順次配設されたイエロー用ユニット１３Ｙと、マゼンタ用ユニット１３Ｍと、シアン用ユニット１３Ｃと、ブラック用ユニット１３Ｋとを有している。
【００４５】
各ユニット１３Ｙ，１３Ｍ，１３Ｃ，１３Ｋには、感光体ドラム１３１および現像装置１３２がそれぞれ備えられている。各感光体ドラム１３１は、図１において時計方向へ向けて回転しつつ対応した現像装置１３２からトナーの供給を受けるようになっている。
【００４６】
各感光体ドラム１３１の図２における上方左寄りの位置には帯電部１３３がそれぞれ設けられているとともに、同上方右寄りの位置には露光部１３４がそれぞれ設けられている。そして、各感光体ドラム１３１は、前記帯電部１３３によって周面が一様に帯電され、原稿読取部１２で入力された画像データに基づくレーザー光が前記各露光部１３４から帯電後の感光体ドラム１３１の周面に照射されることにより、各感光体ドラム１３１の周面に静電潜像が形成されるようになっている。かかる静電潜像に現像装置１３２からトナーが供給されることにより、感光体ドラム１３１の周面にトナー像が形成されるようになっている。
【００４７】
また、各感光体ドラム１３１の図１における左方下部位置には感光体ドラム１３１の周面の残留トナーを除去してクリーニングするクリーニング装置１３５が設けられている。クリーニング装置１３５によって清浄化処理された感光体ドラム１３１の周面は、新たな帯電処理のために帯電部１３３へ向かうことになる。
【００４８】
各感光体ドラム１３１の下方位置には、搬送面が各感光体ドラム１３１と対向するように配設された搬送ベルト１３６が設けられている。この搬送ベルト１３６は、ブラック用ユニット１３Ｋの若干下流側に設けられた駆動ローラ１３７と、イエロー用ユニット１３Ｙの若干上流側に設けられた従動ローラ１３８とに掛け回され、駆動ローラ１３７の回転駆動によって周回するようになっている。そして、用紙貯留部１５から供給された用紙は、この搬送ベルト１３６の周回に誘導されて感光体ドラム１３１の周面に当接しながら移動し、転写処理が施されるようになっている。
【００４９】
前記定着部１４は、画像形成部１３で転写された用紙上のトナー像に対し定着処理を施すものであり、上下で互いに対向配置されたヒートローラ１４１と加圧ローラ１４２とを備えている。搬送ベルト１３６の周回によって画像形成部１３から導出された転写処理済の用紙は、これらヒートローラ１４１および加圧ローラ１４２間で加熱されつつ押圧挟持されることによる熱処理でトナー画像が定着され、用紙上に安定したカラー画像が形成される。定着処理の完了したカラー画像付の用紙は、排紙搬送路１１２を通って装置本体１１の左側壁から突設された排紙トレイ１１１へ向けて排出される。
【００５０】
前記用紙貯留部１５は、装置本体１１に挿脱自在に装着された複数段の用紙トレイ１５１を有している。各用紙トレイ１５１には、それぞれ用紙束が貯留され、選択された用紙トレイ１５１の用紙束からピックアップローラ１５２の駆動で用紙Ｐが１枚ずつ繰り出され、給紙搬送路１５３を通って画像形成部１３へ導入されるようになっている。
【００５１】
また、本実施形態の画像形成装置１０においては、装置本体１１内に用紙Ｐに対して両面印刷を行うための用紙反転部１６が設けられている。この用紙反転部１６は、画像形成部１３と用紙貯留部１５との間に介設された、片面に定着処理後の画像を有する用紙Ｐを一時的に貯留する中間トレイ１６１と、定着部１４の直下流位置に設けられ、定着処理後の用紙Ｐに対して排紙搬送路１１２および返送搬送路１１３のいずれか一方に用紙Ｐを振り分ける切換ガイド１６２と、一旦中間トレイ１６１に排紙された用紙Ｐを後端側から排紙する反転ローラ対１６３とを備えている。
【００５２】
そして、前記切換ガイド１６２の切り換え操作によって返送搬送路１１３および反転ローラ対１６３を介して一旦中間トレイ１６１へ排紙された用紙Ｐは、反転ローラ対１６３の逆回転によって後端側から排出され、反転搬送路１１４を通って給紙搬送路１５３へ向わせられるようになっている。この給紙搬送路１５３へ供給された表裏反転後の用紙Ｐは、再度画像形成部１３へ供給されることにより裏面側に対して転写処理が施されることになる。
【００５３】
前記入力部２０は、図１に示すように、装置本体１１の上面前部に装着された支持フレーム３０と、この支持フレーム３０に支持された操作パネル装置４０とを備えて構成されている。なお、支持フレーム３０は、装置本体１１の一部を構成するものである。
【００５４】
かかる支持フレーム３０は、装置本体１１の前面と面一の左右方向に長尺な前方枠３１と、前記原稿押え１２１の前縁部より若干下位で前方枠３１と対向した後方枠３２と、これら前方枠３１および後方枠３２の左右の端部間に架設された左右方向一対の側方枠３３と、これら各枠に囲繞された図略の底板３４とを備えて構成されている。前記操作パネル装置４０は、前方枠３１、後方枠３２および側方枠３３に囲まれた状態で底板に支持されている。
【００５５】
図３は、操作パネル装置４０の第１実施形態を示す斜視図であり、図４は、図３に示す操作パネル装置４０を上下反転させて裏面側から見た分解斜視図である。なお、図３におけるＸおよびＹによる方向表示は図１の場合と同様である。これらの図に示すように、操作パネル装置４０は、平面視で横長の矩形状を呈した合成樹脂製の筐体５０と、この筐体５０に下から（図４では上下反転されているため上からになっている）積層状態で内装されるＬＣＤ（ｌｉｑｕｉｄ  ｃｒｙｓｔａｌ  ｄｉｓｐｌａｙ（液晶ディスプレイ））６０、タッチパネル７０、タッチパネル固定枠８０および絶縁シート（操作面）９０とを備えて構成されている。
【００５６】
前記筐体５０は、図３に示すように、平板状のパネルボード５１と、このパネルボード５１の前縁および両側縁から下方（図４では上方）に向かって突設された周壁５２とを備えて形成され、周壁５２の内側に各種の電気部品が装着されるようになっている。
【００５７】
パネルボード５１の中央部より若干図３における長手方向左寄りの位置には、横長の矩形状の表示窓５３が開口されていると共に、この表示窓５３の右側には電源スイッチ５４１やテンキー５４２、さらにはスタートキー５４３等が設けられた第１操作域５４が、また表示窓５３の左側には画像形成装置１０の使用モード（画像形成装置１０を複写機として使用するか、ファクシミリ装置として使用するか、プリンタとして使用するか等のモード）を設定するためのモード設定キー５５１が設けられた第２操作域５５がそれぞれ形成されている。第１操作域５４および第２操作域５５の裏面側には、それぞれの機能に対応した電気部品が装着されている。
【００５８】
前記電源スイッチ５４１の前方位置には、除菌パット（払拭パット）５６が着脱自在に取り付けられている。この除菌パット５６は、指先を拭うものであり、スポンジによって形成され、予め殺菌液が吸収されている。従って、指先による操作パネル装置４０を介した入力操作が完了したのち指先を除菌パット５６で拭うことにより、たとえ指先に細菌が付着していても当該細菌が殺菌されるため衛生上好ましい。因みに殺菌液としては、メチルアルコール液や過酸化水素水等を挙げることができる。
【００５９】
前記表示窓５３の裏面側には、操作パネル装着空間Ｖ（図４）が形成され、この操作パネル装着空間Ｖに最下位（図４では最上位）から順次ＬＣＤ６０、タッチパネル７０、タッチパネル固定枠８０および絶縁シート９０が積層配置され、これによって最上位の絶縁シート９０が表示窓５３に臨んだ状態になっている。
【００６０】
前記ＬＣＤ６０は、平面視で前記表示窓５３より若干大きい矩形状を呈した薄い直方体状のケーシング６１の中に所定の電気部品をマウントした基板と、この基板の上面側（図３においては下面側）に積層された平面状の液晶板とが収納されることによって形成されている。そして、液晶板上に表示された文字や図形等の情報が透明なタッチパネル７０および絶縁シート９０を介して表示窓５３に表示されるようになっている。
【００６１】
かかるＬＣＤ６０は、操作パネル装着空間Ｖに装着された状態で筐体５０の表示窓５３から外部に抜け出すことがないように、平面視の寸法が表示窓５３のそれより相当大きめに寸法設定されている。
【００６２】
前記タッチパネル７０は、絶縁シート９０を介して任意の位置を指で軽く押圧することにより当該位置を検出し、その位置に対して予め設定されている所定の操作信号をＬＣＤ６０との協働で図略の制御部へ向けて出力するものである。
【００６３】
かかるタッチパネル７０は、透明な２枚の抵抗膜シートが積層されることにより形成されている。一方の抵抗膜シートは、一方向（例えば横方向）に延びる縦方向に並設された複数本の透明な横通電抵抗路を有している一方、他方の抵抗膜シートは、他方向（縦方向）に延びる横方向に並設された複数本の透明な縦通電抵抗路を有し、指で押された位置における横通電抵抗路および縦通電抵抗路の交点からその位置を特定するようになっている。
【００６４】
このようなタッチパネル７０は、平面視の寸法が筐体５０の表示窓５３のそれより若干大きめで、かつ、ＬＣＤ６０のそれより若干小さめに設定され、これによって操作パネル装着空間Ｖに装着された状態で表示窓５３から外部に抜け出ることがないようになされている。また、タッチパネル７０の図４における右縁部から右方に向けて接続端子７１が突設され、タッチパネル７０からの出力信号は、この接続端子７１を介してＬＣＤ６０へ入力されるようになっている。
【００６５】
前記タッチパネル固定枠８０は、ＬＣＤ６０に積層されたタッチパネル７０を動かないように位置決め状態で固定するためのものであり、ＬＣＤ６０の長手方向の寸法と略同一に設定された一対の横桟８１と、これら一対の横桟８１の図４における右端部間に架設された縦桟８２とによってコ字状に形状設定されている。縦桟８２は、長さ寸法がタッチパネル７０の縦寸法（短尺側の寸法）より若干長めに設定されていると共に、一対の横桟８１間の内寸法がタッチパネル７０の短尺側の寸法より僅かに大きめに設定され、これによってタッチパネル７０が一対の横桟８１間に挟持されるようになっている。
【００６６】
かかるタッチパネル固定枠８０には、縦桟８２に前記タッチパネル７０の接続端子７１に対応した位置に凹設された端子嵌込み溝８３が凹設されていると共に、略中央位置に縦桟側係合孔８４が穿設されている。また、横桟８１には、左端部寄りの位置にそれぞれ横桟側係合孔８５が穿設されている。
【００６７】
一方、筐体５０のパネルボード５１の裏面側には、図３に示すように、操作パネル装着空間Ｖにおける表示窓５３の右方位置に前記縦桟側係合孔８４に対応した縦桟側係合突起５１１が突設されていると共に、同左方位置より若干表示窓５３側へ寄った位置に前記一対の横桟側係合孔８５に対応した前方横桟側係合突起５１２および後方横桟側係合突起５１３が突設されている。
【００６８】
さらに、パネルボード５１の裏面側には、表示窓５３の図４における左方位置に、前後方向に延びる一対の位置決め突条５１４が突設され、タッチパネル７０は、左縁部がこれらの位置決め突条５１４に当止されることによって左方へずれるのが防止されるようになっている。
【００６９】
そして、一対の横桟８１によって挟持された状態のタッチパネル固定枠８０の縦桟側係合孔８４が縦桟側係合突起５１１に外嵌されると共に、一対の横桟側係合孔８５がそれぞれ対応した前方横桟側係合突起５１２および後方横桟側係合突起５１３に外嵌されることにより、タッチパネル７０を備えたタッチパネル固定枠８０が筐体５０の操作パネル装着空間Ｖに装着されるようになっている。
【００７０】
前記絶縁シート９０は、操作者の指先に帯電している静電気や、タッチパネル７０に対する押圧操作等で発生する静電気などを吸収してＬＣＤ６０内の基板に悪影響を及ぼさないようにするためのものであり、平面視でタッチパネル固定枠８０の輪郭寸法と略同一に寸法設定されている。本実施形態においては、当該絶縁シート９０の表面が本発明に係る操作面を構成している。
【００７１】
かかる絶縁シート９０の図４における右縁部上面（図４では下面）には、短尺方向の全長に亘って貼着された粘着両面テープ９１（テープ基材の両面に粘着剤が塗布されてなるテープ）が貼着されていると共に、この粘着両面テープ９１をも含めた状態で穿設された、前記パネルボード５１の縦桟側係合突起５１１に対応する右短尺側係合孔９２が穿設されている。また、絶縁シート９０の前方縁部には、前記パネルボード５１の前方横桟側係合突起５１２に対応した位置に前方長尺側係合孔９３が穿設されている。この前方長尺側係合孔９３は、絶縁シート９０の長手方向に長尺の長孔によって形成されている。
【００７２】
前記粘着両面テープ９１は、絶縁シート９０をパネルボード５１に装着して表示窓５３を塞ぐに際し、当該パネルボード５１における表示窓５３の直ぐ右側に粘着させるためのものであり、前記右短尺側係合孔９２は、縦桟側係合突起５１１に係合させるためのものであり、前記前方長尺側係合孔９３は、前方横桟側係合突起５１２に係合させるものである。
【００７３】
かかる絶縁シート９０の図４における左端縁部には、左方に向けて突設された摘み片９４が設けられ、装着された絶縁シート９０をパネルボード５１から取り外すに際し、この摘み片９４を指で摘んで容易に引き剥がすことができるようになっている。
【００７４】
つぎに、ＬＣＤ６０、タッチパネル７０、タッチパネル固定枠８０および絶縁シート９０のパネルボード５１への組み付けについて説明する。これらをパネルボード５１に組み付けるに際しては、まず最初に絶縁シート９０の右短尺側係合孔９２をパネルボード５１の縦桟側係合突起５１１に嵌め込み、この状態で絶縁シート９０の図４における右縁部をパネルボード５１に押し付ける。こうすることによって絶縁シート９０の短尺側の右縁部が位置決め状態でパネルボード５１に粘着される。
【００７５】
引き続き前方長尺側係合孔９３をパネルボード５１の前方横桟側係合突起５１２に嵌め込むことによって絶縁シート９０のパネルボード５１への装着が完了する。
【００７６】
ついで、タッチパネル固定枠８０の縦桟側係合孔８４および一対の横桟側係合孔８５をそれぞれ対応したパネルボード５１の縦桟側係合突起５１１、前方横桟側係合突起５１２および後方横桟側係合突起５１３に外嵌することにより、タッチパネル固定枠８０がパネルボード５１に装着され、これによって絶縁シート９０の縁部の浮き上がりが防止された状態になる。
【００７７】
引き続き、タッチパネル７０をタッチパネル固定枠８０の一対の横桟８１間に嵌め込み、最後にタッチパネル７０にＬＣＤ６０を被せた状態で当該ＬＣＤ６０を所定の係止手段によりパネルボード５１に係止することによってＬＣＤ６０、タッチパネル７０、タッチパネル固定枠８０および絶縁シート９０のパネルボード５１への装着が完了する。
【００７８】
そして、このように構成された第１実施形態の操作パネル装置４０においては、表示窓５３の後方縁部５３１に複数（本実施形態においては４つ）の紫外線ランプ（殺菌手段）２１が等間隔で装着され、絶縁シート９０の表面がこれらの紫外線ランプ２１から照射される紫外線に曝されるようになっている。
【００７９】
本実施形態においては、紫外線ランプ２１として紫外線を照射し得るＬＥＤ（ｌｉｇｈｔ  ｅｍｉｔｔｉｎｇ  ｄｉｏｄｅ）を用いたものが採用され、これによって紫外線ランプ２１は充分な小型化が実現している。かかる紫外線ランプ２１は、図４に示すような扁平な矩形状のケーシング２１１の内部にＬＥＤが装着されることによって形成され、前縁部に設けられた横長のスリット状の照射口２１１ａから扇状に先広がりに広がった紫外線を絶縁シート９０に向けて照射し（図３参照）、これによってタッチパネル７０を覆った絶縁シート９０の表面に殺菌処理を施すようになっている。
【００８０】
紫外線ランプ２１を表示窓５３の後方縁部５３１に装着するために、パネルボード５１の後方縁部５３１に臨んだ部分には、紫外線ランプ２１を装着し得る装着凹部５１５が凹設されている。装着凹部５１５の後方隅部には、紫外線ランプ２１に電力を供給するための接続端子５１５ａが設けられ、紫外線ランプ２１のケーシング２１１の後方縁部をこの接続端子５１５ａに外嵌することにより、ケーシング２１１内のＬＥＤが所定のスイッチを介して図略の電源と電気的に接続されるようになっている。
【００８１】
そして、本実施形態においては、タッチパネル７０に対しタッチングによる入力操作が開始されたときに当該タッチングが検出され、この検出結果に基づいて紫外線ランプ２１に電力が供給されると共に、タッチングが検出されなくなった後も当該電力供給状態が所定時間継続されるようになっている。従って、タッチパネル７０に対し入力操作が実行されると、その後所定時間に亘ってタッチパネル７０を被覆した絶縁シート９０に紫外線が照射され、これによって絶縁シート９０に対し殺菌処理が施されることになる。予め設定された時間が経過すると、紫外線ランプ２１は消灯される。
【００８２】
図５は、図３に示すタッチパネル装置２０のＡ−Ａ線断面図である。なお、図５においては、各部品の厚み寸法については誇張して示している。図５に示すように、ＬＣＤ６０、タッチパネル７０、タッチパネル固定枠８０および絶縁シート９０がパネルボード５１に装着された状態では、最下層にＬＣＤ６０が配され、その上にタッチパネル７０、タッチパネル固定枠８０に保持されたタッチパネル７０および絶縁シート９０が順次積層された状態でこれらが所定の係止手段によってパネルボード５１に係止され、これによって絶縁シート９０がパネルボード５１の表示窓５３に臨んだ状態になっている。
【００８３】
そして、絶縁シート９０は、図５における左方の短辺側の縁部が合突起５１１によって位置決めされた状態で粘着両面テープ９１がパネルボード５１の裏面に粘着され、かつ、長手方向に長尺の長孔からなる前方長尺側係合孔９３の中央部がパネルボード５１の前方横桟側係合突起５１２に遊嵌されている。
【００８４】
したがって、タッチパネル装置２０の存在する環境の温度変化によって絶縁シート９０が粘着両面テープ９１の位置を起点にして長手方向（図５における左右方向）に伸縮しても、前方長尺側係合孔９３が前方横桟側係合突起５１２に対して移動してその伸縮を吸収するため、特に当該絶縁シート９０が低温環境から高温環境に移されたときに伸張し、これによって波打った状態になるような不都合の発生が確実に防止される。
【００８５】
また、表示窓５３の後方縁部５３１には、左右方向に等ピッチで複数の紫外線ランプ２１が設けられているため、絶縁シート９０には、これらの紫外線ランプ２１からの紫外線が略死角のない状態で照射され、これによって絶縁シート９０の表面に殺菌処理が施される。従って、不特定多数の公衆が操作パネル装置４０に対して入力操作を行うべく絶縁シート９０をタッチしても、指先から絶縁シート９０に細菌が移るようなことがあっても紫外線によって確実に殺菌されるため、細菌の繁殖で絶縁シート９０が不衛生になるような不都合の発生を確実に防止することができる。
【００８６】
図６は、操作パネル装置４０の第２実施形態を示す斜視図である。第２実施形態の操作パネル装置４０は、殺菌手段としての紫外線ランプ２２として真空管方式の長尺のものが採用され、この紫外線ランプ２２の複数本が左右方向に延びた状態でＬＣＤ６０とタッチパネル７０との間に介設されている。
【００８７】
紫外線ランプ２２をＬＣＤ６０とタッチパネル７０との間に介設するために、ＬＣＤ６０のケーシング６１の上面には紫外線ランプ２２が嵌り込み得る左右方向に延びた複数条の装着溝６２が凹設され、各紫外線ランプ２２は、これらの装着溝６２に嵌め込まれた状態でＬＣＤ６０とタッチパネル７０との間に介設されている。
【００８８】
紫外線ランプ２２の設置本数については、表示窓５３の広さや紫外線ランプ２２の照度等の条件に応じて紫外線が表示窓５３の略全域に行き渡るように設定される。このような第２実施形態の操作パネル装置４０におけるその他の構成については第１実施形態のものと同様である。
【００８９】
そして、第２実施形態の操作パネル装置４０においては、画像形成装置１０を使用していない状態（例えば、スリープモード時や人感センサ等で人が近傍にいないことが確認されているとき等）で紫外線ランプ２２が点灯され、紫外線ランプ２２からの紫外線がタッチパネル７０および絶縁シート９０を透過することによって絶縁シート９０の表面に殺菌処理を施す一方、所定のセンサにより絶縁シート９０に指先が触れたことが検出された状態で下部フレーム２２への電力の供給を停止するようになされている。従って、オペレータが操作パネル装置４０から絶縁シート９０を介してタッチングによる入力操作を行うに際しては、紫外線ランプ２２が消灯された状態になる。
【００９０】
第２実施形態の操作パネル装置４０によれば、画像形成装置１０が不使用のときに絶縁シート９０に対して殺菌処理が施されるため、入力操作時に紫外線が目に入るような不都合の発生を確実に防止することができる。また、たとえ画像形成装置１０の使用中に指先の細菌が絶縁シート９０に付着しても、使用を止めたときに紫外線ランプ２２から照射される紫外線によって絶縁シート９０に対し殺菌処理が施されるため、不都合の生じることはない。
【００９１】
図７は、操作パネル装置４０の第３実施形態を示す斜視図である。なお、図７におけるＸおよびＹによる方向表示は図１の場合と同様である。第３実施形態の操作パネル装置４０は、殺菌手段として殺菌液噴霧手段２３が採用され、この殺菌液噴霧手段２３からの殺菌液の噴霧で絶縁シート９０の表面に殺菌処理を施すようになっている。殺菌液としては、メチルアルコール液や過酸化水素水等を挙げることができる。
【００９２】
殺菌液噴霧手段２３は、図７に示すように、空気を圧送する圧送ポンプ２３１と、この圧送ポンプ２３１によって圧送される空気を流通させる圧送配管２３２と、圧送配管２３２に介設されたオリフィス２３３と、このオリフィス２３３に連通した薬液容器２３４と、圧送配管２３２の下流端に接続されて薬液容器２３４からの殺菌液を絶縁シート９０に向けて噴霧する複数の噴霧ノズル２３５とを備えて構成されている。
【００９３】
前記圧送配管２３２は、上流端が圧送ポンプ２３１に接続された圧送本管２３２ａと、この圧送本管２３２ａの下流端から分岐された複数本の圧送支管２３２ｂとからなっている。各圧送支管２３２ｂは、それぞれの下流端が対応した各噴霧ノズル２３５に接続されている。そして、前記オリフィス２３３は、圧送本管２３２ａの適所に介設され、圧送ポンプ２３１から圧送された空気がこのオリフィス２３３を通過することによるエジェクター効果により薬液容器２３４内の殺菌液が霧状になってオリフィス２３３の下流側の圧送本管２３２ａへ向けて送出されるようになっている。
【００９４】
前記噴霧ノズル２３５は、パネルボード５１の前記装着凹部５１５に第１実施形態の紫外線ランプ２１に代えて装着されている。かかる噴霧ノズル２３５は、装着凹部５１５に合わせて扁平な矩形状に立体形状が設定され、これによって安定した状態で装着凹部５１５に装着され得るようになっている。このような噴霧ノズル２３５における表示窓５３に対向した縁面には、左右方向に細長いスリット状の噴霧口２３５ａが設けられ、霧状の殺菌液がこの噴霧口２３５ａから絶縁シート９０へ向けて噴霧されるようになっている。
【００９５】
そして、第３実施形態の操作パネル装置４０においては、画像形成装置１０を使用していない状態で圧送ポンプ２３１が予め設定された時間だけ間欠的に駆動され、これによって絶縁シート９０の表面に殺菌液による殺菌処理が施される一方、所定のセンサにより絶縁シート９０に指先が触れたことが検出された状態で圧送ポンプ２３１が停止されるようになっている。従って、オペレータが操作パネル装置４０から絶縁シート９０を介してタッチングによる入力操作を行うに際しては、噴霧ノズル２３５からの殺菌液の噴霧が停止される。
【００９６】
第３実施形態の操作パネル装置４０によれば、画像形成装置１０が不使用のときにのみ絶縁シート９０に対して殺菌液の噴霧による殺菌処理が施されるため、入力操作時に指先が噴霧された殺菌液を被るような不都合の発生が防止される。また、たとえ画像形成装置１０の使用中に指先の細菌が絶縁シート９０に付着しても、使用を止めたときに噴霧ノズル２３５から噴霧される殺菌液によって絶縁シート９０に対し殺菌処理が施されるため、不都合の生じることはない。
【００９７】
以上詳述したように、本発明に係る操作パネル装置４０は、所定の機器、例えば、複写機で代表される画像形成装置や、駅、劇場、映画館等の券売機、あるいはカード入力で現金を出納する現金出納機等の機器に対して入力操作を行うために使用される操作面（本実施形態においては絶縁シート９０の表面）を備えたものであり、操作面に対して直接的に殺菌処理を施す殺菌手段（第１および第２実施形態では紫外線ランプ２１，２２、第３実施形態では殺菌液噴霧手段２３）が設けられているため、従来のように操作パネル装置４０を構成する部材に抗菌剤を練り込んだ間接的に殺菌処理を施すものに比較し、優れた殺菌効果を得ることができる。
【００９８】
すなわち、操作パネル装置４０を構成する部材に抗菌剤を練り込んだものの場合は、抗菌剤の存在する近辺だけが殺菌性能を備えているが、抗菌剤の存在しない部分で殺菌性能が発揮されず、これによって均一な殺菌処理が実現し難いという不都合が生じるが、本発明では、操作面に対して直接的に殺菌処理を施すため、このような不都合は生じない。
【００９９】
しかも、本発明においては、抗菌剤を樹脂に練り込むような面倒な操作を行う必要がないため、その分製造コストの低減化に貢献することができる。
【０１００】
さらに、操作パネル装置４０を廃棄処分したときに、当該操作パネル装置４０から銀が環境に溶出してしまうような不都合が生じず、操作パネル装置４０を環境保全に役立つものにすることができる。
【０１０１】
そして、第１および第２実施形態においては、殺菌手段として殺菌性能を有する光（第１および第２実施形態においては紫外線）を操作面に照射する紫外線ランプ（殺菌ランプ手段（殺菌手段））２１，２２が採用されているため、紫外線ランプ２１，２２からの光を操作パネル装置４０の操作面である絶縁シート９０に照射することにより絶縁シート９０に殺菌処理が施される。従って、不特定多数の公衆が絶縁シート９０にタッチして操作パネル装置４０に対する入力操作を行うことで指先から細菌が絶縁シート９０に移るようなことがあっても、絶縁シート９０に移った細菌を光線によって確実に殺菌することができるため、絶縁シート９０を常に衛生的な状態に維持することができる。しかも、殺菌手段として紫外線を照射する紫外線ランプ２１，２２を採用するだけで済ませることができ、装置コストの低減化に貢献することができる。
【０１０２】
特に第１実施形態においては、紫外線ランプ２１からの光線を絶縁シート９０の外部から照射するようにしているため、指先が直接タッチする絶縁シート９０の表側を常に確実に殺菌した状態にすることができる。
【０１０３】
また、第２実施形態においては、紫外線ランプ２２からの光線を絶縁シート９０の裏面側から照射するようにしているため、紫外線ランプ２２が入力操作の邪魔になるようなことはなく、紫外線ランプ２２の設置位置の自由度を向上させることができる。
【０１０４】
また、第３実施形態においては、殺菌手段として殺菌液を操作面に噴霧する殺菌液噴霧手段２３が採用されているため、当該殺菌液噴霧手段２３によって殺菌液を操作パネル装置４０の操作面である絶縁シート９０に噴霧することにより絶縁シート９０に対し殺菌処理を施すことができる。従って、不特定多数の公衆が絶縁シート９０にタッチして入力操作を行っても、指先から絶縁シート９０に移った細菌を殺菌液により即座に殺菌することができ、これによって入力操作の操作面である絶縁シート９０の表面を常に衛生的な状態に維持することができる。また、殺菌手段として殺菌液噴霧手段２３を採用するだけで済ませることができ、装置コストの低減化に貢献することができる。
【０１０５】
そして、上記の各実施形態においては、入力操作が必要な機器として所定の画像情報に基づき被転写体（用紙Ｐ）に画像を転写する画像形成装置１０が採用されているため当該画像形成装置１０の操作パネル装置４０が実施形態１〜３の操作パネル装置４０の作用効果を備えたものになる。
【０１０６】
本発明は上記の実施形態に限定されるものではなく、以下の内容をも包含するものである。
【０１０７】
（１）上記の実施形態においては、本発明に係る操作パネル装置４０が適用される機器として複写機やファクシミリ装置あるいはプリンタ等として使用される画像形成装置１０を挙げているが、本発明は、操作パネル装置４０の適用される機器が画像形成装置１０であることに限定されるものではなく、駅や劇場、映画館等の券売機、あるいはカード入力で現金を出納する現金出納機等の不特定多数の者が入力操作を行う可能性のある各種の機器にも適用することができる。
【０１０８】
（２）第１実施形態の紫外線ランプ２１は、表示窓５３の後方縁部５３１に設けられているが、本発明は、紫外線ランプ２１を表示窓５３の後方縁部５３１に設けることに限定されるものではなく、表示窓５３の前方縁部や側方縁部に設けてもよいし、これらの位置以外の場所に紫外線ランプ２１専用のスタンドを設けてこのスタンドに紫外線ランプ２１を装着するようにしてもよい。
【０１０９】
（３）上記の第２実施形態においては、紫外線ランプ２２がＬＣＤ６０とタッチパネル７０との間に介設されているが、本発明は、紫外線ランプ２２が紫外線ランプ２２とタッチパネル７０との間に介設されることに限定されるものではなく、例えば表示窓５３から外れた位置に紫外線ランプ２２を設け、この紫外線ランプ２２からの紫外線をミラーで反射させることにより表示窓５３に導くなど、紫外線ランプ２２について各種の配置形態を採用することができる。
【０１１０】
（４）上記の第１および第２実施形態においては、タッチパネル７０の上に絶縁シート９０が積層されているが、本発明は、タッチパネル７０の上に絶縁シート９０を積層することに限定されるものではなく、状況によっては特に絶縁シート９０を設けることなくタッチパネル７０を直接タッチするようにしてもよい。
【０１１１】
（５）上記の実施形態においては、操作パネル装置４０の操作面は絶縁シート９０の表面になっているが、本発明は、操作面が絶縁シート９０の表面であることに限定されるものではなく、例えば、絶縁シート９０が採用されない場合には、タッチパネル７０そのものの表面が操作面になる。
【図面の簡単な説明】
【０１１２】
【図１】本発明に係る操作パネル装置が適用された画像形成装置の一実施形態を示す斜視図である。
【図２】図１に示す画像形成装置の一の内部構造の概略を示す正面断面視の説明図である。
【図３】操作パネル装置の第１実施形態を示す斜視図である。
【図４】図３に示す操作パネル装置を上下反転させて裏面側から見た分解斜視図である。
【図５】図３に示すタッチパネル装置のＡ−Ａ線断面図である。
【図６】操作パネル装置の第２実施形態を示す斜視図である。
【図７】操作パネル装置の第３実施形態を示す斜視図である。
【符号の説明】
【０１１３】
１０  画像形成装置            １１  装置本体
１１１  排紙トレイ            １１２  排紙搬送路
１１３  返送搬送路            １１４  反転搬送路
１２  原稿読取部              １２１  原稿供給部
１２２  原稿トレイ            １２３  原稿排紙トレイ
１２４  原稿送り部            １２５  光学系ユニット
１２６  コンタクトガラス
１２６ａ  載置原稿用コンタクトガラス
１２６ｂ  自動給紙用コンタクトガラス
１３  画像形成部
１３１  感光体ドラム          １３２  現像装置
１３３  帯電部                １３４  露光部
１３５  クリーニング装置      １３６  搬送ベルト
１３７  駆動ローラ            １３８  従動ローラ
１４  定着部                  １４１  ヒートローラ
１４２  加圧ローラ            １５  用紙貯留部
１５１  用紙トレイ            １５２  ピックアップローラ
１５３  給紙搬送路            １６  用紙反転部
１６１  中間トレイ            １６２  切換ガイド
１６３  反転ローラ対          ２０  入力部
２１１ａ  照射口
２１，２２  紫外線ランプ（殺菌ランプ手段（殺菌手段））
２３  殺菌液噴霧手段（殺菌手段）
２３１  圧送ポンプ
２３２  圧送配管              ２３２ａ  圧送本管
２３２ｂ  圧送支管            ２３３  オリフィス
２３４  薬液容器              ２３５  噴霧ノズル
２３５ａ  噴霧口              ３０  支持フレーム
３１  前方枠                  ３２  後方枠
３３  側方枠                  ４０  操作パネル装置
５０  筐体                    ５１  パネルボード
５１１  縦桟側係合突起        ５１２  前方横桟側係合突起
５１３  後方横桟側係合突起    ５１４  位置決め突条
５１５  装着凹部              ５２  周壁
５３  表示窓                  ５３１  後方縁部
５４  第１操作域              ５４１  電源スイッチ
５４２  テンキー              ５４３  スタートキー
５５  第２操作域              ５５１  モード設定キー
５６  除菌パット（払拭パット）  ６０  ＬＣＤ
６１  ケーシング              ６２  装着溝
７０  タッチパネル            ７１  接続端子
８０  タッチパネル固定枠      ８１  横桟
８２  縦桟                    ８３  端子嵌込み溝
８４  縦桟側係合孔            ８５  横桟側係合孔
９０  絶縁シート（操作面）    ９１  粘着両面テープ
９２  右短尺側係合孔          ９３  前方長尺側係合孔
９４  摘み片                  Ｐ  用紙（被転写体）
Ｖ  操作パネル装着空間
【図１】
2006204824.tif 000003
【図２】
2006204824.tif 000004
【図３】
2006204824.tif 000005
【図４】
2006204824.tif 000006
【図５】
2006204824.tif 000007
【図６】
2006204824.tif 000008
【図７】
2006204824.tif 000009